【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
メガネであって、前記メガネの左右のレンズを形成する焦点距離が可変の、第１及び第２の可変焦点距離レンズを備え、各可変焦点距離レンズは、流体充填キャビティの境界を成す膨張性の膜を備え、前記焦点距離は、前記膜が膨張するにつれて、前記膜の曲率の程度にともなって変わり、前記メガネはさらに前記第１及び第２の可変焦点距離レンズを同時に作動させるための作動機構とを備え、
前記作動機構は、液圧マスタ・アクチュエータと、前記第１の可変焦点距離レンズに関連付けられた液圧従属アクチュエータと、前記第２の可変焦点距離レンズに関連付けられた液圧従属アクチュエータとを備え、各従属アクチュエータは、前記マスタ・アクチュエータの作動に応答して、それの関連する可変焦点距離レンズの膜の膨張の程度を変えるためにそれの関連する可変焦点距離レンズに機械的力をかけるように構成され、前記液圧従属アクチュエータは、前記液圧マスタ・アクチュエータから前記液圧従属アクチュエータに作動力を伝達することにより前記液圧従属アクチュエータを駆動するために、前記液圧マスタ・アクチュエータに液圧接続され、よって前記マスタ・アクチュエータは前記第１及び第２の可変焦点距離レンズの両方の膜の膨張の程度を同時に変えるように作動可能である、
メガネ。
【請求項２】
各従属アクチュエータは、所与の流体圧力に対して、それぞれの望ましい力を生起するようになされる、
請求項１のメガネ。
【請求項３】
前記液圧マスタ・アクチュエータは透明なチューブ材により前記従属アクチュエータにつながれ、前記透明なチューブ材の屈折率は、前記第１及び第２の可変焦点距離レンズのキャビティを満たす流体の屈折率に整合する、
請求項１又は請求項２のメガネ。
【請求項４】
各液圧従属アクチュエータは、前記膜の周辺に固定された曲げ制御リングへ力をかけることにより、マスタ・アクチュエータの作動に応答して、アクチュエータの関連付けられたレンズの膜の膨張の程度を変えるように構成される、
請求項１乃至請求項３の何れか１項のメガネ。
【請求項５】
各液圧従属アクチュエータは、それの関連するレンズの流体充填キャビティの外側に配設される、
請求項１乃至請求項４の何れか１項のメガネ。
【請求項６】
メガネであって、前記メガネの左右のレンズを形成する焦点距離が可変の、第１及び第２の可変焦点距離レンズを備え、各可変焦点距離レンズは、流体充填キャビティの境界を成す膨張性の膜を備え、前記焦点距離は、前記膜が膨張するにつれて、前記膜の曲率の程度にともなって変わり、前記メガネはさらに前記第１及び第２の可変焦点距離レンズを同時に作動させるための作動機構とを備え、
前記作動機構は、液圧マスタ・アクチュエータと、前記液圧マスタ・アクチュエータの作動に応答して、前記第１の可変焦点距離レンズの前記膜の膨張の程度を変える機械的な力を及ぼすようにそれぞれ構成された第１の複数の液圧従属アクチュエータと、前記液圧マスタ・アクチュエータの作動に応答して、前記第２の可変焦点距離レンズの前記膜の膨張の程度を変える機械的な力を及ぼすようにそれぞれ構成された第２の複数の液圧従属アクチュエータとを備え、
前記液圧従属アクチュエータは、前記液圧マスタ・アクチュエータから前記液圧従属アクチュエータに作動力を伝達することにより前記液圧従属アクチュエータを同時に駆動するために、前記液圧マスタ・アクチュエータに液圧接続される、
メガネ。
【請求項７】
前記第１の複数の液圧従属アクチュエータのそれぞれは、前記第１の可変焦点距離レンズの周辺まわりのそれぞれの制御ポイントに配設され、
前記第２の複数の液圧従属アクチュエータのそれぞれは、前記第２の可変焦点距離レンズの周辺まわりのそれぞれの制御ポイントに配設される、
請求項６のメガネ。
【請求項８】
前記第１の複数の従属アクチュエータにおける各従属アクチュエータは、所与の流体圧力に対して、それぞれの望ましい力を生起するようになされ、
前記第２の複数の従属アクチュエータにおける各従属アクチュエータは、所与の流体圧力に対して、それぞれの望ましい力を生起するようになされる、
請求項７のメガネ。
【請求項９】
前記液圧マスタ・アクチュエータは、透明なチューブ材により、前記第１の複数の従属アクチュエータにおける前記従属アクチュエータにつながれ、前記透明なチューブ材は、前記第１の可変焦点距離レンズのキャビティを満たす流体の屈折率に整合され、
前記液圧マスタ・アクチュエータは、透明なチューブ材により、前記第２の複数の従属アクチュエータにおける前記従属アクチュエータにつながれ、前記透明なチューブ材は、前記第２の可変焦点距離レンズのキャビティを満たす流体の屈折率に整合される、
請求項６乃至請求項８の何れか１項のメガネ。
【請求項１０】
前記第１の複数の液圧従属アクチュエータはともに、前記第１の可変焦点距離レンズの膜の周囲に固定された曲げ制御リングへ力をかけることにより、前記マスタ・アクチュエータの作動に応答して前記第１の可変焦点距離レンズの膜の膨張の程度を変えるように構成され、
前記第２の複数の液圧従属アクチュエータはともに、前記第２の可変焦点距離レンズの膜の周囲に固定された曲げ制御リングへ力をかけることにより、前記マスタ・アクチュエータの作動に応答して前記第２の可変焦点距離レンズの膜の膨張の程度を変えるように構成される、
請求項６乃至請求項９の何れか１項のメガネ。
【請求項１１】
前記第１の複数の液圧従属アクチュエータのそれぞれは、前記第１の可変焦点距離レンズの流体充填キャビティの外側に配設され、
前記第２の複数の液圧従属アクチュエータのそれぞれは、前記第２の可変焦点距離レンズの流体充填キャビティの外側に配設される、
請求項６乃至請求項１０の何れか１項のメガネ。
【請求項１２】
前記第１の可変焦点距離レンズにおける前記膜の膨張の程度は、前記マスタ・アクチュエータの所与の作動に対する前記第２の可変焦点距離レンズにおけるそれとは異なる、
請求項６乃至請求項１１の何れか１項のメガネ。
【手続補正２】
【補正対象書類名】明細書
【補正対象項目名】００７９
【補正方法】変更
【補正の内容】
【００７９】
図１０のズームレンズは、光学配置の２つの液体レンズの焦点距離を同時に変えることによる全体の焦点距離の調節及び焦点の維持の単純明快な方策を提供する。液圧チューブ材とアクチュエータは、従来の複雑なカム駆動作動装置に対して、きわめてコンパクトに造ることができる。
以下は、本発明のあり得る態様である。
第１の態様
焦点距離が可変の、第１及び第２の可変焦点距離レンズを同時に作動させるための作動機構であって、各可変焦点距離レンズは、流体充填キャビティの境界を成す膨張性の膜を備え、前記焦点距離は、前記膜が膨張するにつれて、前記膜の曲率の程度にともなって変わり、前記作動機構は、前記第１の可変焦点距離レンズに関連付けられた液圧従属アクチュエータと前記第２の可変焦点距離レンズに関連付けられた液圧従属アクチュエータとに流体連通する液圧マスタ・アクチュエータを備え、各従属アクチュエータは、前記マスタ・アクチュエータの作動に応答して、それの関連する可変焦点距離レンズの膜の膨張の程度を変えるように構成され、よって前記マスタ・アクチュエータは前記第１及び第２の可変焦点距離レンズの両方の膜の膨張の程度を同時に変えるように作動可能である、  作動機構。
第２の態様
各従属アクチュエータは、所与の流体圧力に対して、それぞれの望ましい力を生起するようになされる、  第１の態様の作動機構。
第３の態様
前記液圧マスタ・アクチュエータは透明なチューブ材により前記従属アクチュエータにつながれ、前記透明なチューブ材の屈折率は、前記第１及び第２の可変焦点距離レンズのキャビティを満たす流体の屈折率に整合する、  第１の態様又は第２の態様の作動機構。
第４の態様
各液圧従属アクチュエータは、前記膜の周辺に固定された曲げ制御リングへ力をかけることにより、マスタ・アクチュエータの作動に応答して、アクチュエータの関連付けられたレンズの膜の膨張の程度を変えるように構成される、  第１の態様乃至第３の態様の何れか１の態様の作動機構。
第５の態様
各液圧従属アクチュエータは、それの関連するレンズの流体充填キャビティの外側に配設される、  第１の態様乃至第４の態様の何れか１の態様の作動機構。
第６の態様
前記第１及び第２の可変焦点距離レンズが、複数の３つ以上の可変焦点距離レンズの一部を形成し、前記複数ある中の各可変焦点距離レンズは、流体充填キャビティの境界を成す膨張性の膜を備え、前記焦点距離は、記膜が膨張するにつれて、前記膜の曲率の程度にともなって変わり、前記作動機構は、複数の液圧従属アクチュエータに流体連通する液圧マスタ・アクチュエータを備え、各従属アクチュエータはそれぞれの可変焦点距離レンズに関係付けられ、それぞれの従属アクチュエータは、前記マスタ・アクチュエータの作動に応答して、それの関連付けられた可変焦点距離レンズの膜の膨張の程度を変えるように構成され、よって前記マスタ・アクチュエータはすべての可変焦点距離レンズの膜の膨張の程度を同時に変えるように作動可能である、  第１の態様乃至第５の態様の何れか１の態様の作動機構。
第７の態様
流体充填キャビティの境界を成す膨張性の膜を備える、焦点距離が可変の第１の可変焦点距離レンズのための作動機構であって、前記焦点距離は、前記膜が膨張するにつれて、前記膜の曲率の程度にともなって変わり、前記作動機構は、第１の複数の液圧従属アクチュエータに流体連通する液圧マスタ・アクチュエータを備え、前記従属アクチュエータはともに、前記マスタ・アクチュエータの作動に応答して前記第１の可変焦点距離レンズの膜の膨張の程度を変えるように構成される、  作動機構。
第８の態様
前記第１の複数の液圧従属アクチュエータのそれぞれは、前記第１の可変焦点距離レンズの周辺まわりのそれぞれの制御ポイントに配設される、  第７の態様の作動機構。
第９の態様
前記第１の複数の従属アクチュエータにおける各従属アクチュエータは、所与の流体圧力に対して、それぞれの望ましい力を生起するようになされる、  第８の態様の作動機構。
第１０の態様
前記液圧マスタ・アクチュエータは、透明なチューブ材により、前記第１の複数の従属アクチュエータにおける前記従属アクチュエータにつながれ、前記透明なチューブ材は、前記第１の可変焦点距離レンズのキャビティを満たす流体の屈折率に整合される、  第７の態様乃至第９の態様の何れか１の態様の作動機構。
第１１の態様
前記第１の複数の液圧従属アクチュエータはともに、それぞれ前記第１の可変焦点距離レンズの膜の周辺に固定された曲げ制御リングへ力をかけることにより、前記マスタ・アクチュエータの作動に応答して前記第１の可変焦点距離レンズの膜の膨張の程度を変えるように構成される、  第７の態様乃至第１０の態様の何れか１の態様の作動機構。
第１２の態様
前記第１の複数の液圧従属アクチュエータのそれぞれは、前記第１の可変焦点距離レンズの流体充填キャビティの外側に配設される、  第７の態様乃至第１１の態様の何れか１の態様の作動機構。
第１３の態様
流体充填キャビティの境界を成す膨張性の膜を備える、焦点距離が可変の第２の可変焦点距離レンズを更に備え、前記焦点距離は、前記膜が膨張するにつれて、前記膜の曲率にともなって変わり、前記液圧マスタ・アクチュエータは、第２の複数の液圧従属アクチュエータに流体連通し、前記従属アクチュエータはともに、前記マスタ・アクチュエータの作動に応答して前記第２の可変焦点距離レンズの膜の膨張の程度を変えるように構成される、  第７の態様乃至第１２の態様の何れか１の態様の作動機構。
第１４の態様
前記第２の複数の液圧従属アクチュエータのそれぞれは、前記第２の可変焦点距離レンズの周辺まわりのそれぞれの制御ポイントに配設される、  第１３の態様の作動機構。
第１５の態様
前記第２の複数の従属アクチュエータにおける各従属アクチュエータは、所与の流体圧力に対して、それぞれの望ましい力を生起するようになされる、  第１４の態様の作動機構。
第１６の態様
前記液圧マスタ・アクチュエータは、透明なチューブ材により、前記第２の複数の従属アクチュエータにおける前記従属アクチュエータにつながれ、前記透明なチューブ材は、前記第２の可変焦点距離レンズのキャビティを満たす流体の屈折率に整合される、  第１３の態様乃至第１５の態様の何れか１の態様の作動機構。
第１７の態様
前記第２の複数の液圧従属アクチュエータはともに、前記第２の可変焦点距離レンズの膜の周囲に固定された曲げ制御リングへ力をかけることにより、前記マスタ・アクチュエータの作動に応答して前記第２の可変焦点距離レンズの膜の膨張の程度を変えるように構成される、  第１３の態様乃至第１６の態様の何れか１の態様の作動機構。
第１８の態様
前記第２の複数の液圧従属アクチュエータのそれぞれは、前記第２の可変焦点距離レンズの流体充填キャビティの外側に配設される、  第１３の態様乃至第１７の態様の何れか１の態様の作動機構。
第１９の態様
前記第１及び第２の可変焦点距離レンズが、複数の３つ以上の可変焦点距離レンズの一部を形成し、前記複数ある中の各可変焦点距離レンズは、流体充填キャビティの境界を成す膨張性の膜を備え、前記焦点距離は、前記膜が膨張するにつれて、前記膜の曲率の程度にともなって変わり、前記作動機構は、複数の液圧従属アクチュエータに流体連通する液圧マスタ・アクチュエータを備え、各従属アクチュエータはそれぞれの可変焦点距離レンズに関係付けられ、それぞれの従属アクチュエータは、前記マスタ・アクチュエータの作動に応答して、それの関連付けられた可変焦点距離レンズの膜の膨張の程度を変えるように構成され、よって前記マスタ・アクチュエータはすべての可変焦点距離レンズの膜の膨張の程度を同時に変えるように作動可能である、  第１３の態様乃至第１８の態様の何れか１の態様の作動機構。
第２０の態様
フレームと、第１の態様乃至第６の態様又は第１３の態様乃至第１８の態様の何れか１の態様の作動機構とを備えるメガネであって、前記第１及び第２の可変焦点距離レンズが前記フレーム内に格納されてメガネの左右のレンズを形成する、  メガネ。
第２１の態様
前記第１の可変焦点距離レンズにおける前記膜の膨張の程度は、前記マスタ・アクチュエータの所与の作動に対する前記第２の可変焦点距離レンズにおけるそれとは異なる、  第２０の態様のメガネ。
第２２の態様
光学配置されたフォーカス・グループとバリエータ・グループとを含む光学要素の複数のグループを備え、第１の態様乃至第６の態様又は第１３の態様乃至第１８の態様の何れか１の態様の作動系を備えるズームレンズであって、前記第１及び第２の可変焦点距離レンズが、前記フォーカス・グループ及びバリエータ・グループのそれぞれの一部を形成する、  ズームレンズ。
第２３の態様
液圧インバータを更に備えて前記第１及び第２の可変焦点距離レンズの焦点距離に、反対の変化を引き起こす、  第２２の態様のズームレンズ。